(57)【特許請求の範囲】
【請求項１】
ＡＣ電圧が供給される第１と第２の端子間に、半波整流素子と電流制限素子と平滑用コンデンサとが直列接続され、前記平滑用コンデンサの端子間に、直列接続された定電圧素子とコンデンサとが並列接続されており、リモコン送信機からの光信号を受光する受光部に印加される直流電圧源が、前記コンデンサの端子間電圧であることを特徴とする待機電力抑制型光リモコン受信装置。
【請求項２】
前記受光部がフォトトランジスタであり、前記定電圧素子と前記コンデンサとの接続点に前記フォトトランジスタのコレクタが接続され、前記フォトトランジスタのエミッタと前記第２の端子との間に負荷抵抗が接続され、前記エミッタと前記負荷抵抗との接続点に、第１のトランジスタのベースが接続され、第１のトランジスタのエミッタが第２のトランジスタのベースに接続され、第１と第２のトランジスタのコレクタが共通接続されて、前記定電圧素子と前記コンデンサとの接続点に接続され、かつ第２のトランジスタのエミッタに定電圧素子のカソードが接続され、前記定電圧素子のアノードが次段の増幅器に接続されていることを特徴とする請求項１に記載の待機電力抑制型光リモコン受信装置。
【請求項３】
前記受光部のフォトトランジスタに、集光面を有する光学フィルタと反射板とからなる反射集光器を設けたことを特徴とする請求項１又は２に記載の待機電力抑制型光リモコン受信装置。
【請求項４】
前記受光部で受信した光信号を増幅する第１の増幅部と、前記第１の増幅部の出力が通過する帯域通過フィルタと、前記帯域通過フィルタを通過した信号を増幅する第２の増幅器と、前記第２の増幅器の出力を波形整形して、パルス信号とする波形整形器とを備えることを特徴とする請求項１，２又は３に記載の待機電力抑制型光リモコン受信装置。
【請求項５】
請求項４に記載の待機電力抑制型光リモコン受信装置において、
前記波形整形器からのパルス信号をフォトカプラを介して、電子機器の制御部に入力するとともに、リレーを動作させて、前記電子機器に電源電圧を投入し、かつ前記電子機器の制御部からの電源投入信号に基づいて、前記リレーをラッチ状態とし、前記電子機器の電源を投入状態を維持するようにしたことを特徴とする待機電力抑制型光リモコン受信装置。
【発明の詳細な説明】
【０００１】
【発明の属する技術分野】
本発明は、テレビ受像機等の電気機器を遠隔操作する際の待機時の電力を省電力化することができる待機電力抑制型光リモコン受信装置に関するものである。
【０００２】
【従来の技術】
従来、赤外線等を利用した光リモコン装置は、テレビ受像機等の各種の電気機器に使用されており、その光リモコン受信器は、待機時に電流が流されており、光リモコン送信器からの光信号の到来を待ち受けている。この種の電気機器の待機時では、主電源が投入されて、実際には使用されていないにもかかわらず、光リモコン受信器に電流が流されている。
【０００３】
通常、光リモコン受信器が内蔵されている電気機器では、電源部の電源トランスの一次側には、商用電源が供給され、二次側の主回路への電源線のみを遮断して、消費電力を抑制するようにしている。また、光リモコン受信器では、電源部からの電源トランスの二次側からのＡＣ電圧が整流されて、安定化電源回路を介して安定化された直流電圧がフォトダイオードに印加され、光リモコン送信器からの光信号の到来を待ち受けている。従って、テレビ受像機等のリモコン制御電気機器では、テレビ受像機を利用している時の消費電力に対して、待機時の電源部の電源トランスの一次側で消費される電力と光リモコン受信部とで消費される電力を無視することができない量となっている。
【０００４】
【発明が解決しようとする課題】
本発明は、上記課題に鑑みなされたものであって、光リモコン制御による電気機器の待受時における消費電力を抑制することができる待機電力抑制型光リモコン受信装置を提供することを目的とする。
【０００５】
【課題を解決するための手段】
本発明は、上記課題を達成したものであり、請求項１の発明は、ＡＣ電圧が供給される第１と第２の端子間に、半波整流素子と電流制限素子と平滑用コンデンサとが直列接続され、前記平滑用コンデンサの端子間に、直列接続された定電圧素子とコンデンサとが並列接続されており、リモコン送信機からの光信号を受光する受光部に印加される直流電圧源が、前記コンデンサの端子間電圧であることを特徴とする待機電力抑制型光リモコン受信装置である。
【０００６】
この発明によれば、商用電源からのＡＣ電圧が印加される第１と第２の端子間に、直列に半波整流素子と抵抗による電流制限素子と平滑用コンデンサとが直列接続され、この平滑用コンデンサが充電されて、その電極間の直流電圧を、定電圧素子とコンデンサとで所用電圧に設定して、受光部の電源としており、平滑用コンデンサとコンデンサとが充電された後は、光信号が到来しない限り、これらコンデンサのリーク電流を除いて、電力が消費されることがない。なお、上記電流制限素子以外に平滑用コンデンサとコンデンサに対して、直列に抵抗を接続しても、本発明を逸脱するものではなく、実質的に同一であることは明らかである。
【０００７】
また、請求項２の発明は、前記受光部がフォトトランジスタであり、前記定電圧素子と前記コンデンサとの接続点に前記フォトトランジスタのコレクタが接続され、前記フォトトランジスタのエミッタと前記第２の端子との間に負荷抵抗が接続され、前記エミッタと前記負荷抵抗との接続点に、第１のトランジスタのベースが接続され、第１のトランジスタのエミッタが第２のトランジスタのベースに接続され、第１と第２のトランジスタのコレクタが共通接続されて、前記定電圧素子と前記コンデンサとの接続点に接続され、かつ第２のトランジスタのエミッタに定電圧素子のカソードが接続され、前記定電圧素子のアノードが次段の増幅器に接続されていることを特徴とする請求項１に記載の待機電力抑制型光リモコン受信装置である。
【０００８】
この発明によれば、受光部がフォトトランジスタであり、フォトトランジスタのコレクタに電位の高い直流電圧を印加することができるとともに、フォトトランジスタのエミッタ側に、２つのトランジスタのベース・エミッタ間電圧と、定電圧素子のツェナー電圧との合計した総和電圧による閾値電圧によって、ノイズレベルの電圧変動が遮断され、その閾値電圧を越えた際に、光信号が到来したものとして、次段に信号を伝送することができる。フォトトランジスタのコレクタに印加される電圧を高く設定することで、フォトトランジスタのエミッタ側に閾値電圧を設定することができるので、ノイズが重畳されて、次段の増幅部で増幅されて誤動作しないようになされおり、誤動作防止機能を備えたものである。
【０００９】
また、請求項３の発明は、前記受光部のフォトトランジスタに、集光面を有する光学フィルタと反射板とからなる反射集光器を設けたことを特徴とする請求項１又は２に記載の待機電力抑制型光リモコン受信装置である。
【００１０】
この発明によれば、フォトトランジスタに、凹面鏡による集光面を有する光学フィルタと反射板とからなる反射集光器を設けることによって、例えばＩＲ（インフラレッド）光学フィルタを透過した光を反射板で反射させて、さらに集光面に集めて、フォトトランジスタの光感知部に照射することができるので、フォトトランジスタの受光感度を高めることができる。
【００１１】
また、請求項４の発明は、前記受光部で受信した光信号を増幅する第１の増幅部と、前記第１の増幅部の出力が通過する帯域通過フィルタと、前記帯域通過フィルタを通過した信号を増幅する第２の増幅器と、前記第２の増幅器の出力を波形整形して、パルス信号とする波形整形器とを備えることを特徴とする請求項１，２又は３に記載の待機電力抑制型光リモコン受信装置である。
【００１２】
この発明によれば、前記受光部で受信した光信号を増幅して、前記帯域通過フィルタを通過した信号を、第２増幅器で増幅して、その出力を波形整形器によって波形整形してパルス信号とし、電源制御信号、チャンネル切替制御信号等のモード信号とすることができる。
【００１３】
また、請求項５の発明は、請求項４に記載の待機電力抑制型光リモコン受信装置において、
前記波形整形器からのパルス信号をフォトカプラを介して、電子機器の制御部に入力するとともに、リレーを動作させて、前記電子機器に電源電圧を投入し、かつ前記電子機器の制御部からの電源投入信号に基づいて、前記リレーをラッチ状態とし、前記電子機器の電源を投入状態を維持するようにしたことを特徴とする待機電力抑制型光リモコン受信装置である。
【００１４】
この発明によれば、光リモコン送信機からの光信号を受光して、テレビ受像機等の電子機器の制御部に、フォトカプラを介して信号を伝送し、電子機器の制御部からの信号に基づいて、リレーをラッチ状態とするようにし、商用電源からＡＣ電圧を電子機器に投入するようにした電子機器内蔵型の待機電力抑制型光リモコン受信装置である。
【００１５】
【発明の実施の形態】
以下、本発明に係る待機電力抑制型光リモコン受信装置の実施の形態について、図面を参照して説明する。
【００１６】
先ず、本発明に係る待機電力抑制型光リモコン受信装置の回路ブロック図である図１を参照して説明する。図２は、その一実施形態を示す回路図であり、図３は、その動作を説明するためのタイミングチャートである。
【００１７】
図１において、本発明の待機電力抑制型光リモコン受信装置は、商用電源によるＡＣ電圧が印加されて、直流電圧を発生する直結電源部１と、直結電源部１から直流電圧が印加される受光部２と、受光部２の出力を増幅する増幅部３と、増幅部３からの出力を所定周波数帯域の信号を通過させる帯域通過フィルタ（Ｂ・Ｐ・Ｆ）４と、帯域通過フィルタ４を通過した信号を増幅する増幅部５と、増幅部５で増幅された信号を波形整形する波形整形器６とを備えている。さらに、光リモコン受信装置の用途に応じて、波形整形器６から波形整形された信号を出力するフォトカプラ７と、波形整形器６から波形整形された信号を所定のパルス長の信号として出力する時定数部９と、時定数部９で設定されるパルス長の信号が入力されるフォトトライアックカプラ１０とを備えている。なお、Ｐ１，Ｐ２は、商用電源によるＡＣ電圧が印加される端子であり、Ｐ３，Ｐ４は制御信号を出力される端子、Ｐ５はフォトトライアックカプラの出力を導出する端子である。
【００１８】
次に、図２を参照して、その各部の回路について説明する。同図において、直結電源部１は、商用電源によるＡＣ電圧が印加される端子Ｐ１，Ｐ２間に形成されている。端子Ｐ１には、フューズＦの一端に接続され、フューズＦの他端に半波整流素子であるダイオードＤ１のアノードに接続され、そのカソードに電流制限抵抗Ｒ０の一端に接続され、電流制限抵抗Ｒ０の他端に平滑用コンデンサＣ１が接続され、その他端が端子Ｐ２に接続されて、配線Ｌ２に接続されている。平滑用コンデンサＣ１の端子間は、直流電圧Ｖ１となり、定電圧素子ＺＤ１とコンデンサＣ２との接続点は、配線Ｌ１に接続されている。コンデンサＣ２の端子間は、直流電圧Ｖ２となる。なお、直流電圧Ｖ１は、ほぼ１００Ｖとし、定電圧素子ＺＤ１のツェナー電圧ＺＶとすると、直流電圧Ｖ２は、１００Ｖからツェナー電圧ＺＶを差し引いた電圧となる。例えば、ツェナー電圧ＺＶが７０Ｖであるとすると、直流電圧Ｖ２は、約３０Ｖである。因みに、直流電圧Ｖ２は、２０〜４０Ｖであるのが望ましい。
【００１９】
受光部２は、直結電源部１の定電圧素子ＺＤ１とコンデンサＣ２との接続点がフォトトランジスタＰＴのコレクタに接続され、そのエミッタがトランジスタＴ１のベースと負荷抵抗Ｒ１の一端に接続され、その他端が端子Ｐ２に接続され、トランジスタＴ１のエミッタがトランジスタＴ２のベースに接続され、トランジスタＴ１，Ｔ２のコレクタが共通接続されて、定電圧素子ＺＤ１とコンデンサＣ２とコンデンサＣ２との接続点に接続され、トランジスタＴ２のエミッタは、定電圧素子ＺＤ２のカソードに接続されている。トランジスタＴ１，Ｔ２は、ダーリントン接続されており、トランジスタＴ１，Ｔ２のベース・エミッタ間電圧８ＶBE1 ，ＶBE2 ）とツェーナ電圧ＺＶ2 との総和電圧（ＶBE1 ＋ＶBE2 ＋ＺＶ2 ）により、閾値電圧を形成している。
【００２０】
なお、負荷抵抗Ｒ２の端子間電圧が、この閾値電圧を越えると、フォトトランジスタＰＴで受光された光信号に応じた信号が出力されるように構成されており、この閾値電圧は、ノイズ等による電圧成分がこの閾値電圧を越えない範囲に設定されている。例えば、この閾値電圧は、トランジスタＴ１，Ｔ２のベース・エミッタ間電圧（約０．７Ｖ）と定電圧素子ＺＤ２のツェーナ電圧（５Ｖ）とによって、設定されており、閾値電圧は、約６．４Ｖに設定されている。閾値電圧を適宜に設定することで、誤動作防止としての機能を与えることが可能である。
【００２１】
増幅部３は、受光部２からの出力を増幅する回路部であり、受光部２の定電圧素子ＺＤ２のアノードに、負荷抵抗Ｒ２とカップリングコンデンサＣ３との一端がそれぞれ接続され、カップリングコンデンサＣ３の他端にバイアス抵抗Ｒ３の一端と電解効果型トランジスタ（以下、ＦＥＴと称する）Ｑ１のゲートとが接続され、ＦＥＴＱ１のソースに抵抗Ｒ４とバイパスコンデンサＣ４の一端が接続されて、それらの他端が端子Ｐ２に接続されている。さらに、ＦＥＴＱ１のドレインは、抵抗Ｒ５を介して、配線Ｌｌに接続されているとともに、帯域通過フィルタ４に接続されている。因みに、帯域通過フィルタ４は、増幅部３からの出力の内の所定周波数帯域の信号が通過するフィルタであり、消費電力の小さいものであれば、メカニカルフィルタや表面波フィルタ等の何れのフィルタであってもよい。
【００２２】
増幅部５は、帯域通過フィルタ４を通過した信号の交流成分を増幅する回路部であり、帯域通過フィルタ４の出力端子に、交流成分を通過させるカップリングコンデンサＣ５の一端が接続され、その他端がＦＥＴＱ２のゲートに接続され、ＦＥＴＱ２のゲートと配線Ｌ２間にバイアス抵抗Ｒ６が接続され、ＦＥＴＱ２のドレインと配線Ｌ１間に抵抗Ｒ８が接続されている。
【００２３】
波形整形部６は、増幅部５から信号を波形整形する回路であり、増幅部５の出力端がカップリングコンデンサＣ８の一端に接続され、その他端がバイアス抵抗Ｒ９の一端とダイオードＤ２のカソードに接続され、かつＭＯＳＦＥＴＱ３のゲートに接続され、バイアス抵抗Ｒ９の他端とダイオードＤ２のアノードが配線Ｌ２に接続されている。ＭＯＳＦＥＴＱ３のドレインと配線Ｌ１との間には、フォトカプラ７の発光ダイオードＬＤ１のカソードとアノードが接続され、ＭＯＳＦＥＴＱ３のソースが抵抗Ｒ１０を介して、配線Ｌ２に接続されている。そして、フォトカプラ７のフォトトランジスタＰＴ１のエミッタとコレクタは、それぞれ端子Ｐ３，Ｐ４に接続されている。
【００２４】
バッファー回路８は、ＭＯＳＦＥＴＱ４で構成され、ＭＯＳＦＥＴＱ３のソースと抵抗Ｒ１０との接続点がＭＯＳＦＥＴＱ４のゲートに接続され、ＭＯＳＦＥＴＱ４のドレインにダイオードＤ３のカソードに接続され、そのアノードが配線Ｌ１に接続されており、ダイオードＤ３は逆流防止素子としての機能を有する。ＭＯＳＦＥＴＱ４のソースには、時定数部９が接続されている。
【００２５】
時定数部９は、並列接続された抵抗Ｒ９とコンデンサＣ９で構成され、ＭＯＳＦＥＴＱ４のソースに、抵抗Ｒ９とコンデンサＣ９からなる時定数部９が接続されて、ＭＯＳＦＥＴＱ５のゲートに接続されている。ＭＯＳＦＥＴＱ５のドレインは、フォトトライアックカプラ１０の発光ダイオードＬＤ２のカソードに接続され、そのアノードが抵抗Ｒ１２を介して配線Ｌ１に接続され、フォトトライアックカプラ１０のトライアックＴＲの一端が配線Ｌ２に接続され、その他端が端子Ｐ５に接続されている。
【００２６】
続いて、図３を参照して、待機電力抑制型光リモコン受信装置の動作について説明する。端子Ｐ１，Ｐ２には、商用電源であるＡＣ電圧が供給されると、同図（ａ），（ｂ）に示したように、平滑用コンデンサＣ１，コンデンサＣ２に充電されて、それぞれの端子間に直流電圧Ｖ１，Ｖ２が発生する。この時、同図（ｃ）に示したように、光リモコン送信器より、光信号が発信されて、フォトトランジスタＰＴで受光されると、同図（ｄ）に示したように、ＦＥＴＱ１から逆位相の出力が現れる。このパルスは、所定の周波数帯域の帯域通過フィルタ４を通過して、ＦＥＴＱ２により増幅されて、同図（ｅ）に示すように、出力パルスが得られる。さらに、波形整形部６により波形整形されて、波形整形されたパルスがＭＯＳＦＥＴＱ３のゲートに入力され、ＭＯＳＦＥＴＱ３がオンとなって、波形整形されたパルスに同期したパルスが出力される。フォトカプラ７の発光ダイオードＬＤ１は、波形整形されたパルスに同期して発光して、フォトトランジスタＰＴ１から同図（ｆ）に示したように、パルス列が出力される。このパルス列は、電源制御信号、チャンネル切替制御信号等のモード信号としてテレビ受像機等の電気機器に入力され、電源切替信号、チャンネル切替信号、音声制御等のモード制御に利用される。さらに、波形整形されたパルスに同期して、時定数部９による積分波形によって、ＭＯＳＦＥＴＱ５がバイアスされて、同図（ｇ）に示すような出力が得られ、同図（ｈ）に示すように、フォトトライアックカプラ１０がオン状態となる。
【００２７】
次に、図４を参照して、本発明の他の実施形態について説明する。図４は、本発明の他の実施形態を示す待機電力抑制型光リモコン受信装置の受光回路図である。先ず、図２の実施形態では、受光部２をフォトトランジスタＰＴ１で示したが、フォトトランジスタＰＴ１の出力が大きい程、信号処理が容易である。そこで、本実施形態は、図４に示したように、光リモコン送信器から送信される光信号の光を集光し得る反射集光器を設けた受光部が用いられている。図４に示した受光器は、受光部２のフォトトランジスタＰＴ１の赤外線等に入力部に、凹面反射鏡１２ａが形成された光学フィルタ（例えば、ＩＲ光学フィルタ）１２が設けられ、光学フィルタ１２を透過した光を反射させる円錐反射鏡１１が設けられ、円錐反射鏡１１の中央部にフォトトランジスタＰＴ１が配置されている。図４の受光部２の後段は、図２に示した回路と同等であるのでその説明は省略する。
【００２８】
なお、図４に示した実施形態では、反射集光器を備える受光器を用いており、受光部のフォトトランジスタのコレクタ・エミッタ間に流れる光電流を大きくすることが可能であるので、受光部後段での信号処理が容易である。
【００２９】
さらに、反射集光器を備える受光器について、図５（ａ）〜（ｃ）、図６（ａ）〜（ｃ）を参照して説明する。図５（ａ）は、受光器の断面図であり、図５（ｂ），（ｃ）は、光学フィルタ１２を示し、図５（ｂ）はその断面図、図５（ｃ）は光学フィルタ１２の裏面図である。図５（ａ）に示したように、フォトトランジスタＰＴ１は、反射集光器で覆われ、円錐反射鏡１１の中央部に配置されており、円錐反射鏡１１の開口部には、光学フィルタ１２が設けられている。さらに、図５（ａ）に示したように、円錐反射鏡１１の外側に取付片１１ａが設けられている。光学フィルタ１２の光透過側には、凹面反射鏡１２ａが設けられており、遠赤外リモコン光は、光学フィルタ１２を透過して、円錐反射鏡１１で反射して、その反射光が凹面反射鏡１２ａを介して、フォトトランジスタＰＴ１に集光されるようになされている。
【００３０】
次に、この受光器の実装について説明すると、図６（ａ）は、受光器の受光面を示しており、図６（ｂ）は、受光器がプリント基板１４に装着されたメインモジュールの側面図であり、図６（ｃ）は、メインモジュールの平面図である。受光器は、円錐反射鏡１１の裏面に設けられた取付片１１ａをプリント基板１４にビス１３止めすることによって、装着されている。このプリント基板１４には、図２又は図４に示した受光回路が形成されて、メインモジュールが形成されている。
【００３１】
続いて、図７を参照して、本発明の待機電力抑制型光リモコン受信装置を内蔵したテレビ受像器について説明する。図２又は図４の光リモコン受光部等が実装された部分をメインモジュールとし、図７は、メインモジュールからの信号をパワーモジュール１５を介してテレビ受像器１６に伝達する部分を示し回路図である。パワーモジュール１５は、商用電源からの配線が接続される端子Ｐ６にコンデンサＣ１０が接続され、その他端が全波整流部１６の第１の入力端子に接続されている。メインモジュールの端子Ｐ５と接続されている端子Ｐ７は、全波整流部１６の第２の入力端子に接続されている。全波整流部１６の出力端子間には、平滑用コンデンサＣ１１とリレー１７のコイルが接続されている。リレー１７の接点１７ａは、一端が端子Ｐ９に接続され、他端が端子Ｐ８に接続されている。端子Ｐ８には、商用電源からの配線が接続されている。端子Ｐ７，Ｐ８間には、フォトトライアックカプラ１８の光トライアックＴＲ１の両端が接続され、フォトトライアックカプラ１８の発光ダイオードＬＤ３の両端は、端子Ｐ１０，Ｐ１１に接続されている。
【００３２】
テレビ受像器１９は、その電源部２０が商用電源部からの配線と、パワーモジュール１５の端子Ｐ９とが接続され、光リモコン送信器からの信号に基づいて、ＡＣ電圧が供給されるようになされている。今、光リモコン送信器からの光信号を受光して、端子Ｐ３，Ｐ４からの信号がマイコン部（コントローラ部）２１に入力されたとする。光リモコン受光部のフォトトライアックカプラ１８は、所定の時定数でオン状態となっている。その間に、全波整流部１６の第１と第２の入力端子にＡＣ電圧が供給され、全波整流された直流電圧が平滑用コンデンサＣ１１を介して、リレー１７のコイルに入力されて、その接点１７ａがオンとなって、テレビ受像器１９の電源部２０にＡＣ電圧が供給される。すると、マイコン部２１からは、電源が投入されたことを示す応答信号（電源投入信号）が出力されて、フォトトライアックカプラ１８の発光ダイオードＬＤ３を点灯して、フォトトライアックＴＲ１がターンオンして、全波整流部１６の第１と第２の入力端子にＡＣ電圧が供給されて、リレー１７はラッチ状態となって、テレビ受像器１９の電源部２０に商用電源部からＡＣ電圧が投入される。なお、フォトトライアックカプラ１０がターンオフしたとしても、リレー１７はラッチ状態を維持する。
【００３３】
そして、テレビ受像器１９の電源を遮断する場合、光リモコン送信器から電源遮断信号を光リモコン送信器に送信して、その端子Ｐ３，Ｐ４からマイコン部２１に電源遮断信号を伝送して、マイコン部２１から電源遮断信号によって、フォトトライアックカプラ１８の発光ダイオードＬＤ３を再び点灯させることによって、フォトトライアックＴＲ１をタンーオフさせることによって、ＡＣ電圧が遮断される。
【００３４】
【発明の効果】
上記記載によれば、本発明の待機電力抑制型光リモコン受信装置は、その受光部の電源が商用電源のＡＣ電圧を、電源トランスを用いることなく、半波整流してコンデンサに充電し、さらに定電圧素子を用いて、所定の直流電圧の直流電源とし、この直流電圧をフォトトランジスタに印加して、光リモコン送信器からの光信号をパルス列の信号として、テレビ受像機等の電気機器のモード切替信号とすることができる。本発明の光リモコン受信装置の待機時は、平滑用コンデンサ等のコンデンサに充電されると、リーク電流等を除いて、それ以上は電流が流れないし、光信号が受信された時のみ電流が消費され、待機時では、殆ど電力が消費されないので、極めて省電力化に効果的である。
【００３５】
また、本発明によれば、光リモコン受信装置に、反射集光器が用いられており、光リモコン送信器からの光信号が受光部のフォトトランジスタで受光されて、比較的大きな出力を導出することができ、従来、受光部に設けられていた電源トランスや安定化電源で消費されていた電力を必要としないので、消費電流を抑制することができる利点がある。
【図面の簡単な説明】
【図１】本発明に係る待機電力抑制型光リモコン受信装置の実施形態を示すブロック図である。
【図２】図１の一実施形態を示す回路図である。
【図３】図２の実施形態の動作を説明するためのタイミングチャートである。
【図４】本発明に係る待機電力抑制型光リモコン受信装置の他の実施形態を示す受光回路図である。
【図５】（ａ）は、本発明に係る待機電力抑制型光リモコン受信装置に使用されるフォトトランジスタを収納した反射集光器を備える受光部を示す断面図、（ｂ）は、光学フィルタの断面図、（ｃ）は、光学フィルタの裏面図である。
【図６】（ａ）は、図５のフォトトランジスタを収納した反射集光器の受光面を示す図、（ｂ）は、反射集光器をプリント基板に装着したメインモジュールの側面図、（ｃ）は、同図（ｂ）の平面図である。
【図７】テレビ受像機とメインモジュールとの接続部を示す回路図である。
【符号の説明】
１  直結電源部
２  受光部
３，５  増幅部
４  帯域通過フィルタ
６  波形整形部
７  フォトカプラ
８  バッファ回路
９  時定数部
１０，１８  フォトトライアックカプラ
１１  円錐反射鏡
１２  光学フィルタ
１２ａ  凹面反射鏡
１３  ビス
１４  プリント基板
１５  パワーモジュール
１６  全波整流部
１７  リレー
１９  テレビ受像機
２０  電源部
２１  マイコン部
Ｃ１  平滑用コンデンサ
Ｃ２  コンデンサ
Ｃ３，Ｃ８  カップリングコンデンサ
Ｃ４  バイパスコンデンサ
Ｄ１〜Ｄ３  ダイオード
Ｔ１，Ｔ２  トランジスタ
Ｑ１〜Ｑ２  電解効果型トランジスタ（ＦＥＴ）
Ｑ３〜Ｑ５  ＭＯＳ電解効果型トランジスタ（ＭＯＳＦＥＴ）
Ｒ０〜Ｒ１２  抵抗
ＰＴ，ＰＴ１  フォトトランジスタ
ＬＤ１〜ＬＤ３  発光ダイオード
Ｌ１，Ｌ２  配線
ＴＲ，ＴＲ１  光トライアック
ＺＤ１，ＺＤ２  定電圧素子
【図１】
0004236766.tif 000002
【図２】
0004236766.tif 000003
【図３】
0004236766.tif 000004
【図４】
0004236766.tif 000005
【図５】
0004236766.tif 000006
【図６】
0004236766.tif 000007
【図７】
0004236766.tif 000008